(57)【要約】【課題】ガイドレールを保護することにより、ガイドレールの破損に起因した不具合を防止できる遊技機を提供すること。【解決手段】ガイドレール１３は遊技領域１２を区画し、アウト口部材２０は遊技領域１２内を流下した遊技球を回収する。下部入賞装置４１は、遊技領域１２の下部においてアウト口部材２０の直上に設けられる。側部入賞装置４２，４３は、下部入賞装置４１の左方及び右方に設けられる。遊技領域１２全体には、遊技球の方向を変更することにより遊技結果に影響を与える遊技釘２１が突設される。また、下部入賞装置４１と側部入賞装置４２，４３との間において遊技球入口４１ａよりも下方となる位置には、障害釘２２が突設される。障害釘２２は、衝突により遊技球の勢いを低下させるものの遊技結果には影響を与えない。【選択図】  図５
2007260133.tif 000002
【特許請求の範囲】
【請求項１】
遊技盤前面側に取り付けられることにより遊技領域を区画するガイドレールと、
前記遊技領域に突設され、前記遊技領域内を流下する遊技球の方向を変更することにより遊技結果に影響を与える複数の遊技釘と、
前記遊技領域内の最下部に設けられ、前記遊技領域内を流下した遊技球を回収するアウト口部材と、
前記遊技領域の下部において前記アウト口部材の直上に設けられた下部入賞装置と、
前記下部入賞装置の左方及び右方の少なくとも一方に設けられた側部入賞装置と
を備えた遊技機であって、
前記下部入賞装置と前記側部入賞装置との間において前記遊技領域の最も下側に位置する入賞装置の遊技球入口よりも下方となる位置に、衝突により遊技球の勢いを低下させるものの前記遊技結果には影響を与えない複数の障害釘を突設したことを特徴とする遊技機。
【請求項２】
遊技盤前面側に複数のレールピンを介して取り付けられることにより、遊技領域を区画するガイドレールと、
前記遊技領域に突設され、前記遊技領域内を流下する遊技球の方向を変更することにより遊技結果に影響を与える複数の遊技釘と、
前記遊技領域内の最下部において前記遊技盤と前記ガイドレールとによって挟持された状態で設けられ、前記遊技領域内を流下した遊技球を回収するアウト口部材と、
前記遊技領域の下部において前記アウト口部材の直上に設けられた下部入賞装置と、
前記下部入賞装置の左方及び右方の少なくとも一方に設けられた側部入賞装置と
を備えた遊技機であって、
前記複数のレールピンのうち２本のレールピンが、前記アウト口部材の開口部の左方及び右方においてそれぞれ前記アウト口部材を貫通して前記遊技盤に固定され、
前記下部入賞装置と前記側部入賞装置との間において前記遊技領域の最も下側に位置する入賞装置の遊技球入口よりも下方となる位置に、衝突により遊技球の勢いを低下させるものの前記遊技結果には影響を与えない複数の障害釘を突設したことを特徴とする遊技機。
【請求項３】
前記複数の障害釘は、前記遊技盤の幅方向に沿って配置される一対の上側障害釘と、前記一対の上側障害釘間において前記上側障害釘よりも下方に配置される下側障害釘とからなり、
前記一対の上側障害釘及び前記下側障害釘は、逆三角形状の障害釘群を構成していることを特徴とする請求項１または２に記載の遊技機。
【請求項４】
前記障害釘群は、前記下部入賞装置と前記側部入賞装置との間において複数設けられることを特徴とする請求項３に記載の遊技機。
【発明の詳細な説明】
【技術分野】
【０００１】
本発明は、遊技盤に取り付けられることにより遊技領域を区画するガイドレールや、遊技領域内を流下した遊技球を回収するアウト口部材などを備えた遊技機に関するものである。
【背景技術】
【０００２】
従来より、遊技機の遊技盤前面には、遊技領域１０１ａを区画するとともに、遊技球を遊技領域１０１ａ内に案内するガイドレール１０２が取り付けられている（図７参照）。そして、遊技領域１０１ａ内に案内された遊技球は、遊技領域１０１ａ内に突設された遊技釘１０３に衝突して向きを変えながら流下し、入賞装置１０４に入賞したりする。一方、入賞装置１０４に入賞しなかった遊技球は、最終的に遊技領域１０１ａ内の最下部にあるアウト口部材１０５を介して遊技盤裏面側に排出される。なお、アウト口部材１０５は、遊技盤１０１とガイドレール１０２とにより挟持された状態で固定されている。
【０００３】
しかし、入賞装置１０４に入賞しなかった遊技球にはガイドレール１０２に勢いよく衝突するものがあるため、衝突時に大きな衝撃が加わることによってガイドレール１０２の取付部分（例えばレールピン１０６など）が破損したり、ガイドレール１０２自身が破損する可能性がある。また、遊技球は最終的にアウト口部材１０５に誘導されるため、ガイドレール１０２においてアウト口部材１０５を挟持する部分は、遊技球が集中的に衝突するために破損しやすい。その結果、ガイドレール１０２の傾斜やアウト口部材１０５の脱落（図７の破線部分参照）などによってアウト口部材１０５の開口部１０５ａの一部が塞がれるため、開口部１０５ａに球詰まりが発生して遊技に支障をきたすことがあった。
【０００４】
しかも、遊技盤１０１のサイズは今後大きくなる傾向にあるため、入賞装置１０４などの配置に余裕が生じ、例えば、遊技領域１０１ａ内の下部に設けられた入賞装置１０４とアウト口部材１０５との距離が広がることが予想される。これにより、下部にある入賞装置１０４に入賞しなかった遊技球は、より強い勢いでアウト口部材１０５に向かって落下するようになるため、ガイドレール１０２やその取付部分がよりいっそう破損しやすくなる。そこで、ガイドレールを強固に取り付けることにより、ガイドレールやその取付部分の破損を防止する技術が提案されている（例えば、特許文献１参照）。
【特許文献１】特開２０００−２４１８８号公報（図２など参照）
【発明の開示】
【発明が解決しようとする課題】
【０００５】
ところが、仮に特許文献１に記載の従来技術を用いたとしても、勢いの強い遊技球の度重なる衝突によってガイドレールやその取付部分の強度が徐々に低下していくため、結果的には破損しやすくなってしまう。ゆえに、上記の課題を根本的に解決する技術が要求されている。
【０００６】
本発明は上記の課題に鑑みてなされたものであり、その目的は、ガイドレールを保護することにより、ガイドレールの破損に起因した不具合を防止できる遊技機を提供することにある。
【課題を解決するための手段】
【０００７】
上記の課題を解決するために、請求項１に記載の発明は、遊技盤前面側に取り付けられることにより遊技領域を区画するガイドレールと、前記遊技領域に突設され、前記遊技領域内を流下する遊技球の方向を変更することにより遊技結果に影響を与える複数の遊技釘と、前記遊技領域内の最下部に設けられ、前記遊技領域内を流下した遊技球を回収するアウト口部材と、前記遊技領域の下部において前記アウト口部材の直上に設けられた下部入賞装置と、前記下部入賞装置の左方及び右方の少なくとも一方に設けられた側部入賞装置とを備えた遊技機であって、前記下部入賞装置と前記側部入賞装置との間において前記遊技領域の最も下側に位置する入賞装置の遊技球入口よりも下方となる位置に、衝突により遊技球の勢いを低下させるものの前記遊技結果には影響を与えない複数の障害釘を突設したことを特徴とする遊技機をその要旨とする。
【０００８】
従って、請求項１に記載の発明によると、障害釘に衝突することで遊技球の勢いが低下するため、遊技球が障害釘側からガイドレールに落下した際の衝撃が小さくなる。また、障害釘に衝突した際に遊技球の向きが変更されるため、ガイドレールに対する遊技球の着地点がガイドレールの一部分に集中しなくなり、落下した際の衝撃が分散される。これにより、ガイドレールが保護されるため、衝突時の衝撃に伴うガイドレールの破損を防止でき、さらには、ガイドレールの破損に起因した不具合も防止できる。
【０００９】
また、障害釘は、入賞装置の遊技球入口よりも下方に位置するため、障害釘に衝突した遊技球が跳ね返って入賞装置に入賞することはない。即ち、障害釘は遊技結果には影響を与えない釘であるため、下部入賞装置や側部入賞装置などに対する遊技球の入賞確率の変化を気にすることなく、障害釘を設けることができる。即ち、障害釘の配置の自由度が高くなる。さらに、障害釘が複数突設されるため、下部入賞装置と側部入賞装置との間に流下した遊技球を障害釘に衝突させやすくなる。よって、遊技球の勢いを確実に低下させることができる。しかも、障害釘を遊技盤の高さ方向に沿って複数配置すれば、遊技球の勢いを段階的に低下させることができる。具体的には、遊技球の勢いを上側の障害釘によって低下させた後、下側の障害釘によって遊技球の勢いをさらに低下させることができる。
【００１０】
なお、ガイドレールを形成する材料は特に限定されず、合成樹脂や金属などを用いることができる。ガイドレールは、合成樹脂の射出成形により形成されてもよいし、金属板を曲げることで形成されてもよい。ここで、ガイドレールを金属板によって形成する場合、遊技盤前面側にガイドレールを取り付ける方法としては、遊技盤前面側に複数のレールピン（請求項２）を介してガイドレールを取り付けることなどが挙げられる。
【００１１】
前記複数の障害釘は、下部入賞装置と、下部入賞装置の左方に設けられた側部入賞装置（左側部入賞装置）との間のみに設けられていてもよいし、下部入賞装置と、下部入賞装置の右方に設けられた側部入賞装置（右側部入賞装置）との間のみに設けられていてもよいし、両方に設けられていてもよい。特に、遊技領域に大型の役物が設けられ、その役物が遊技領域の左寄りまたは右寄りに設けられていれば、遊技領域を流下する遊技球は、遊技領域の左側または右側に集中する。この場合、複数の障害釘は、遊技球が集中して流下する側のみに配置されることが好ましく、例えば、下部入賞装置と左側部入賞装置との間のみ、または、下部入賞装置と右側部入賞装置との間のみに配置されることが好ましい。なお、遊技領域に設けられている役物が大型ではない場合や、役物がない場合には、複数の障害釘は、下部入賞装置と左側部入賞装置との間、及び、下部入賞装置と右側部入賞装置との間の両方に設けられることが好ましい。このようにすれば、遊技球が下部入賞装置の左方及び右方のどちらに流下したとしても、遊技球の勢いを確実に低下させることができる。
【００１２】
請求項２に記載の発明は、遊技盤前面側に複数のレールピンを介して取り付けられることにより、遊技領域を区画するガイドレールと、前記遊技領域に突設され、前記遊技領域内を流下する遊技球の方向を変更することにより遊技結果に影響を与える複数の遊技釘と、前記遊技領域内の最下部において前記遊技盤と前記ガイドレールとによって挟持された状態で設けられ、前記遊技領域内を流下した遊技球を回収するアウト口部材と、前記遊技領域の下部において前記アウト口部材の直上に設けられた下部入賞装置と、前記下部入賞装置の左方及び右方の少なくとも一方に設けられた側部入賞装置とを備えた遊技機であって、前記複数のレールピンのうち２本のレールピンが、前記アウト口部材の開口部の左方及び右方においてそれぞれ前記アウト口部材を貫通して前記遊技盤に固定され、前記下部入賞装置と前記側部入賞装置との間において前記遊技領域の最も下側に位置する入賞装置の遊技球入口よりも下方となる位置に、衝突により遊技球の勢いを低下させるものの前記遊技結果には影響を与えない複数の障害釘を突設したことを特徴とする遊技機をその要旨とする。
【００１３】
従って、請求項２に記載の発明によると、障害釘に衝突することで遊技球の勢いが低下するため、遊技球が障害釘側からガイドレールに落下した際にガイドレールやレールピンに加わる衝撃が小さくなる。また、障害釘に衝突した際に遊技球の向きが変更されるため、ガイドレールに対する遊技球の着地点がガイドレールの一部分に集中しなくなり、落下した際の衝撃が分散されるとともに、直接レールピンに衝突する遊技球も減少する。これにより、ガイドレール及びレールピンが保護されるため、衝突時の衝撃に伴うガイドレール及びレールピンの破損を防止でき、さらには、ガイドレールやレールピンの破損に起因した不具合も防止できる。
【００１４】
また、障害釘は、入賞装置の遊技球入口よりも下方に位置するため、障害釘に衝突した遊技球が跳ね返って入賞装置に入賞することはない。即ち、障害釘は遊技結果には影響を与えない釘であるため、下部入賞装置や側部入賞装置などに対する遊技球の入賞確率の変化を気にすることなく、障害釘を設けることができる。即ち、障害釘の配置の自由度が高くなる。さらに、障害釘が複数突設されるため、下部入賞装置と側部入賞装置との間に流下した遊技球を障害釘に衝突させやすくなる。よって、遊技球の勢いを確実に低下させることができる。しかも、障害釘を遊技盤の高さ方向に沿って複数配置すれば、遊技球の勢いを段階的に低下させることができる。具体的には、遊技球の勢いを上側の障害釘によって低下させた後、下側の障害釘によって遊技球の勢いをさらに低下させることができる。
【００１５】
請求項３に記載の発明は、請求項１または２において、前記複数の障害釘は、前記遊技盤の幅方向に沿って配置される一対の上側障害釘と、前記一対の上側障害釘間において前記上側障害釘よりも下方に配置される下側障害釘とからなり、前記一対の上側障害釘及び前記下側障害釘は、逆三角形状の障害釘群を構成していることをその要旨とする。
【００１６】
従って、請求項３に記載の発明によると、一対の上側障害釘で勢いを低下させ、下側障害釘でさらに勢いを低下させるため、遊技球の勢いをより確実に低下させることができる。また、上側障害釘によって遊技球を下側障害釘側へ導くとともに、下側障害釘によって遊技球の向きを変更できるため、ガイドレールに対する遊技球の着地点が集中しなくなる。これにより、落下した際の衝撃が分散されるため、ガイドレールが破損しにくくなる。
【００１７】
なお、一対の上側障害釘間の距離は、遊技球の直径よりもやや大きく設定されることが好ましく、例えば遊技球の直径の１．１倍以上１．５倍以下に設定されることが好ましい。仮に、上側障害釘間の距離が遊技球の直径の１．１倍未満であると、遊技球が上側障害釘間を通過できなくなる。一方、上側障害釘間の距離が遊技球の直径の１．５倍よりも大きいと、遊技球が上側障害釘に衝突しにくくなるため、上側障害釘によって遊技球の勢いを低下させることが困難になる。同様に、上側障害釘と下側障害釘との距離も、遊技球の直径よりもやや大きく設定されることが好ましく、例えば遊技球の直径の１．１倍以上１．５倍以下に設定されることが好ましい。仮に、上側障害釘と下側障害釘との距離が遊技球の直径の１．１倍未満であると、遊技球が上側障害釘と下側障害釘との間を通過できなくなる。一方、上側障害釘と下側障害釘との距離が遊技球の直径の１．５倍よりも大きいと、遊技球が下側障害釘に衝突しにくくなるため、下側障害釘によって遊技球の勢いを低下させることが困難になる。
【００１８】
また、下側障害釘は、両上側障害釘を結ぶ線の垂直二等分線上に位置することが好ましい。このようにすれば、両上側障害釘間から下方に流下する遊技球を確実に下側障害釘に衝突させることができるため、下側障害釘を効果的に機能させることができる。さらに、下側障害釘と前記ガイドレールとの最短距離は、遊技球の直径の２倍以上７倍以下に設定されていることが好ましい。仮に、上記最短距離が遊技球の直径の２倍未満であると、ガイドレールに沿って流下してきた遊技球と下側障害釘から落下してきた遊技球とが下側障害釘とガイドレールとの間に同時に到達した場合に、遊技球が下側障害釘とガイドレールとの間を通過できない可能性が高くなる。一方、上記距離が遊技球の直径の７倍よりも大きいと、下側障害釘からガイドレール側に落下する際に遊技球に再び勢いが付いてしまうため、複数の障害釘を設けたとしても、ガイドレールやレールピンを保護できなくなってしまう。
【００１９】
請求項４に記載の発明は、請求項３において、前記障害釘群は、前記下部入賞装置と前記側部入賞装置との間において複数設けられることをその要旨とする。
【００２０】
従って、請求項４に記載の発明によると、下部入賞装置と側部入賞装置との距離に応じて障害釘群を複数設けることにより、障害釘群をより確実に機能させることができる。仮に、障害釘群の数が少なすぎると、遊技球が障害釘に衝突しにくくなるため、勢いが低下しないまま遊技球がガイドレールに衝突する可能性が高くなる。一方、障害釘群の数が多すぎると、相対的に隣接する障害釘間の距離が小さくなりすぎるため、遊技球が隣接する障害釘間を通過できなくなる。
【発明の効果】
【００２１】
以上詳述したように、請求項１〜４に記載の発明によれば、ガイドレールを保護することにより、ガイドレールの破損に起因した不具合を防止できる遊技機を提供することができる。特に、請求項２によれば、ガイドレールだけでなくレールピンも保護できるため、レールピンやレールピンの破損に起因した不具合を防止できる。
【発明を実施するための最良の形態】
【００２２】
以下、本発明を遊技機（パチンコ機）の遊技盤１１に具体化した一実施形態を図１〜図６に基づき説明する。
（１）遊技盤１１の構成
【００２３】
図１に示されるように、遊技盤１１は、略正方形状の外形を有しており、遊技盤前面側にガイドレール１３が複数のレールピン１４を介して取り付けられている。ガイドレール１３は、金属板を曲げることで円弧状に湾曲形成されており、内レール１３ａ及び外レール１３ｂから構成されている。これら内レール１３ａ及び外レール１３ｂにより、略円形状の遊技領域１２が区画される。なお、各レールピン１４の一部は、内レール１３ａの側面や外レール１３ｂの側面に露出している。また、遊技領域１２内には、風車とも称される案内車１６や、遊技領域１２のほぼ全域に突設される複数の遊技釘２１などが配設されている。案内車１６及び遊技釘２１は、遊技領域１２内を流下する遊技球Ａ１（図３等参照）の方向を変更することにより、遊技球Ａ１を後記する各入賞装置３０〜３６，４１〜４３に入賞させうるようになっている。即ち、案内車１６及び遊技釘２１は、遊技結果に影響を与える役割を果たしている。
【００２４】
また、遊技領域１２内の最下部には、遊技領域１２内を流下した遊技球Ａ１を回収するアウト口部材２０が配置されている。アウト口部材２０は遊技盤１１と内レール１３ａとによって挟持されている。アウト口部材２０は、複数のレールピン１４のうち２本のレールピン１４によって遊技盤１１に固定されている。即ち、両レールピン１４は、アウト口部材２０における開口部２０ａの左方及び右方をそれぞれ貫通して遊技盤１１に打ち込まれる。
【００２５】
図１に示されるように、遊技領域１２の略中央部には中央入賞装置３１が配設されている。中央入賞装置３１の上方には上入賞装置３０が配設されている。また、中央入賞装置３１の左方には左中上入賞装置３２が配設され、左中上入賞装置３２の直下には左中下入賞装置３４が配設されている。一方、中央入賞装置３１の右方には右中上入賞装置３３が配設され、右中上入賞装置３３の直下には右中下入賞装置３５が配設されている。また、遊技領域１２における中央入賞装置３１の直下には、中央下入賞装置３６が配設されている。中央下入賞装置３６の左方には左下入賞装置３７が配設され、中央下入賞装置３６の右方には右下入賞装置３８が配設されている。さらに、中央下入賞装置３６の直下であってアウト口部材２０の直上となる位置には、下部入賞装置４１が配設されている。下部入賞装置４１の左方には左側部入賞装置４２が配設され、下部入賞装置４１の右方には右側部入賞装置４３が配設されている。なお、各入賞装置３０，３２〜３８，４１〜４３の奥方には、遊技球Ａ１の通過を検出する検出スイッチ（図示略）が配設されている。これら検出スイッチにより遊技球Ａ１の通過が検出されると、所定数（例えば８個）の賞球が払い出されるようになっている。
【００２６】
図１，図５等に示されるように、各入賞装置３２〜３６，４１〜４３には、入賞装置３１，３２〜３６，４１〜４３への遊技球Ａ１の入賞を契機として、遊技球Ａ１の入賞が容易な開状態、または、遊技球Ａ１の入賞が困難な閉状態に変位可能な一対の羽根部材４４（開閉部材）が設けられている。なお、両羽根部材４４は、上端が外向きに傾斜した状態（図５等の実線部分参照）が開状態となり、上端が起立した状態（図５等の破線部分参照）が閉状態となる。例えば、各入賞装置３２〜３６，４１に遊技球Ａ１が入賞した場合、遊技球Ａ１が入賞した入賞装置の羽根部材４４が開状態にあれば閉状態に変位するようになっている。特に、入賞装置４２，４３に遊技球Ａ１が入賞した場合、遊技球Ａ１が入賞した入賞装置の羽根部材４４が開状態にあれば閉状態に変位し、閉状態にあれば開状態に変位するようになっている。また、中央下入賞装置３６に遊技球Ａ１が入賞すると、下部入賞装置４１の羽根部材４４が閉状態にあれば開状態に変位するようになっている。同様に、左中上入賞装置３２に遊技球Ａ１が入賞すると、左中下入賞装置３４の羽根部材４４が閉状態にあれば開状態に変位し、右中上入賞装置３３に遊技球Ａ１が入賞すると、右中下入賞装置３５の羽根部材４４が閉状態にあれば開状態に変位するようになっている。即ち、本実施形態のパチンコ機は、リンク機構（図２に示す連動機構６１）を備えたものであり、ソレノイドを用いた電動役物を備えていないいわゆる普通機である。
（２）中央入賞装置３１の構成
【００２７】
図１，図２，図４に示されるように、中央入賞装置３１は、装置本体５１の外周側に位置するフランジ状の枠板５２を介して、前記遊技盤１１に装着されるようになっている。装置本体５１は、略箱状に形成されるとともに、上部中央位置に中央上入賞口５３が形成されている。なお、中央上入賞口５３には、遊技球Ａ１の通過を検出する中央上入賞口スイッチ５３ａ（図２参照）が配設されている。この中央上入賞口スイッチ５３ａにより装置本体５１内への遊技球Ａ１の流入が検出されると、所定数（例えば８個）の賞球が払い出されるようになっている。
【００２８】
図１に示されるように、装置本体５１には、第１入賞空間５４と第２入賞空間５５とが区画形成されている。第１入賞空間５４には、中央上入賞口５３を通過した遊技球Ａ１が流入しうるようになっている。第２入賞空間５５は、第１入賞空間５４の下側に配置されており、第１入賞空間５４に流入した遊技球Ａ１が流入しうるようになっている。
【００２９】
図１，図４に示されるように、第２入賞空間５５の下側には、第２入賞空間５５に流入した遊技球Ａ１が入賞可能な複数の入賞口（中入賞口５６、左入賞口５７及び右入賞口５８）が上方にて開口するように形成されている。中入賞口５６に遊技球Ａ１が入賞した場合、前記中央下入賞装置３６、前記左中上入賞装置３２及び前記右中上入賞装置３３の羽根部材４４が閉状態にあれば開状態に変位するようになっている。左入賞口５７に遊技球Ａ１が入賞した場合、左中上入賞装置３２の羽根部材４４が閉状態にあれば開状態に変位するようになっている。一方、右入賞口５８に遊技球Ａ１が入賞した場合、右中上入賞装置３３の羽根部材４４が閉状態にあれば開状態に変位するようになっている。また、中入賞口５６と左入賞口５７との間、及び、中入賞口５６と右入賞口５８との間には、ハズレ入賞口５９が上方にて開口するように形成されている。なお、ハズレ入賞口５９に遊技球Ａ１が入賞したとしても、各入賞装置３２〜３６，４１〜４３の羽根部材４４は何ら変化しないようになっている。また、賞球の払い出しのための遊技球Ａ１の検出は前記中央上入賞口５３の前記中央上入賞口スイッチ５３ａにて行っているため、各入賞口５６〜５９に遊技球Ａ１を検出する検出スイッチは設けられていない。ゆえに、各入賞口５６〜５９に遊技球Ａ１が入賞したとしても、賞球の払い出しは行われない。
【００３０】
図１に示されるように、第２入賞空間５５を構成する底面（傾斜面）には、回転スロープ６０（振分手段）が回転可能に設けられている。回転スロープ６０は、略円板状をなし、上面に複数の誘導ピンを有している。これにより、回転スロープ６０に流入した遊技球Ａ１は、誘導ピンに接触して回転スロープ６０を回転させながら回転スロープ６０上を流下することにより、中入賞口５６側、左入賞口５７側、右入賞口５８側及びハズレ入賞口５９側のいずれかに振り分けられる。
（３）連動機構６１の構成
【００３１】
図２に示されるように、遊技盤１１の裏面には、各入賞口５６，５７，５８への遊技球Ａ１の入賞と、各入賞装置３６，３２，３３の羽根部材４４の開状態への変位とを連動させる連動機構６１が設けられている。連動機構６１は、遊技盤１１の裏面において前記中央入賞装置３１を囲むように設けられている。連動機構６１は、中央下入賞装置開放機構６２（図３（ａ），（ｂ）参照）、左中上入賞装置開放機構６３及び右中上入賞装置開放機構６４を備えている。中央下入賞装置開放機構６２は、中入賞口５６に遊技球Ａ１が入賞した場合に、中央下入賞装置３６の羽根部材４４を開状態に変位させる機構である。左中上入賞装置開放機構６３は、中入賞口５６または左入賞口５７に遊技球Ａ１が入賞した場合に、左中上入賞装置３２の羽根部材４４を開状態に変位させる機構である。右中上入賞装置開放機構６４は、中入賞口５６または右入賞口５８に遊技球Ａ１が入賞した場合に、右中上入賞装置３３の羽根部材４４を開状態に変位させる機構である。
（３−１）中央下入賞装置開放機構６２の構成
【００３２】
図３（ａ），（ｂ）に示されるように、中央下入賞装置開放機構６２は、中央下入賞装置３６内に設けられるとともに、ロック板６５を備えている。ロック板６５は、中央下入賞装置３６の横方向に延びる軸部６６を介して揺動可能に設けられている。また、ロック板６５は、同ロック板６５の前端から突出する一対のロック部６７を有している。両ロック部６７は、中央下入賞装置３６が有する一対の羽根部材４４の後部にそれぞれ係合することにより、両羽根部材４４を閉状態に維持するようになっている。
【００３３】
従って、中央下入賞装置３６の羽根部材４４が閉状態にある場合（図３（ａ）参照）に遊技球Ａ１が中入賞口５６を通過してロック板６５の後側部に衝突すると、遊技球Ａ１の自重によりロック板６５の後側部が押し下げられる（図３（ｂ）参照）。これに伴い、ロック板６５が回動して前側部が押し上げられ、ロック部６７による両羽根部材４４のロックが解除される。その結果、両羽根部材４４が開状態となる。なお、羽根部材４４が開状態である場合に遊技球Ａ１が中入賞口５６を通過したとしても、羽根部材４４は開状態のままである。しかし、中央下入賞装置３６に遊技球Ａ１が入賞すれば、中央下入賞装置３６の羽根部材４４は閉状態に変位する。しかも、この際に下部入賞装置４１の羽根部材４４が閉状態にあれば開状態に変位する。
（３−２）左中上入賞装置開放機構６３の構成
【００３４】
図４（ａ），（ｂ）に示されるように、左中上入賞装置開放機構６３は、左右方向に延びる第１アーム６８が回動軸６９を介して回動可能に設けられている。第１アーム６８における回動軸６９の一端側は、中入賞口５６及び左入賞口５７の下方まで延びており、中入賞口５６及び左入賞口５７の下方となる位置にそれぞれ球受部７０を有している。また、第１アーム６８における回動軸６９の他端側には、上下方向に延びる第２アーム７１が揺動可能に連結されている。さらに、第２アーム７１の先端側には、左右方向に延びる第３アーム７２が揺動可能に連結されている。第３アーム７２は、中央部分に設けられた回動軸７３を介して回動可能になっている。第３アーム７２の先端部は、左中上入賞装置３２が有する図示しないロック板（前記ロック板６５と同じ機構）に連結されたレバー７４を駆動するようになっている。
【００３５】
従って、左中上入賞装置３２の羽根部材４４が閉状態にある場合（図４（ａ）参照）に、遊技球Ａ１が中入賞口５６または左入賞口５７に入賞すると、入賞した遊技球Ａ１が球受部７０に衝突し、第１アーム６８における回動軸６９の一端側が遊技球Ａ１の自重で押し下げられる（図４（ｂ）参照）。これに伴い、第１アーム６８における回動軸６９の他端側が押し上げられ、第２アーム７１が上方に移動し、第３アーム７２における回動軸７３の基端側が押し上げられる。さらに、第３アーム７２における回動軸７３の先端側が押し下げられ、レバー７４を介して各羽根部材４４が開状態に切り替えられる。なお、羽根部材４４が開状態である場合に遊技球Ａ１が中入賞口５６または左入賞口５７を通過したとしても、羽根部材４４は開状態のままである。しかし、左中上入賞装置３２に遊技球Ａ１が入賞すれば、左中上入賞装置３２の羽根部材４４は閉状態に変位する。しかも、この際に左中下入賞装置３４の羽根部材４４が閉状態にあれば開状態に変位する。なお、右中上入賞装置開放機構６４の構成は、左中上入賞装置開放機構６３と同様の構成である（図２参照）ため、ここでの説明は省略する。
（４）障害釘２２の配置
【００３６】
図１，図５に示されるように、遊技領域１２には、衝突により遊技球Ａ１の勢いを低下させる複数の障害釘２２が突設されている。これら障害釘２２は、前記遊技釘２１と同じ釘である。障害釘２２は、下部入賞装置４１と左側部入賞装置４２との間、及び、下部入賞装置４１と右側部入賞装置４３との間に配置されている。そして、障害釘２２は、遊技領域１２の最も下側に位置する入賞装置（下部入賞装置４１）の遊技球入口４１ａ（図５参照）よりも下方となる位置（即ち、図５に示す仮想線Ｌよりも下方となる位置）に設けられている。ゆえに、障害釘２２に衝突した遊技球Ａ１が跳ね返ったとしても、どの入賞装置３０〜３８，４１〜４３にも入賞することがないため、障害釘２２は遊技結果に影響を与えない釘である。なお、下部入賞装置４１と前記アウト口部材２０との間には、障害釘２２も前記遊技釘２１も配置されていない。
【００３７】
図５に示されるように、複数の障害釘２２は、前記遊技盤１１の幅方向に沿って配置される一対の上側障害釘２３と、一対の上側障害釘２３間において上側障害釘２３よりも下方に配置される下側障害釘２４とにより、逆三角形状の障害釘群２５を構成している。障害釘群２５は、下部入賞装置４１と左側部入賞装置４２との間において２組設けられ、下部入賞装置４１と右側部入賞装置４３との間においても２組設けられている。なお本実施形態では、障害釘群２５の一部が隣接する障害釘群２５の一部と重なっている。例えば、下部入賞装置４１と左側部入賞装置４２との間において、右側の障害釘群２５を構成する左側の上側障害釘２３、及び、左側の障害釘群２５を構成する右側の上側障害釘２３は、同じ障害釘２２である。
【００３８】
図５に示されるように、一対の上側障害釘２３間の距離Ｌ１は、遊技球Ａ１の直径よりもやや大きく設定され、本実施形態では遊技球Ａ１の直径（１１ｍｍ）の１．２倍程度に設定されている。同様に、上側障害釘２３と下側障害釘２４との距離Ｌ２も、遊技球Ａ１の直径よりもやや大きく設定され、本実施形態では遊技球Ａ１の直径の１．２倍程度に設定されている。なお、下側障害釘２４は、一対の上側障害釘２３を結ぶ線の垂直二等分線上に位置している。また、下側障害釘２４と前記ガイドレール１３との最短距離Ｌ３は、本実施形態では遊技球Ａ１の直径の３倍程度に設定されている。
（５）遊技釘群２１ａの配置
【００３９】
図１，図５等に示されるように、下部入賞装置４１と左側部入賞装置４２との間において障害釘群２５の上方となる位置、及び、下部入賞装置４１と右側部入賞装置４３との間において障害釘群２５の上方となる位置には、複数の前記遊技釘２１からなる遊技釘群２１ａが構成されている。遊技釘群２１ａを構成する複数の遊技釘２１は、遊技盤１１の高さ方向に沿って配置され、全体として緩やかな円弧状をなしている。遊技釘群２１ａにおいて隣接する遊技釘２１間の距離は、障害釘群２５において隣接する障害釘２２間の距離よりも短く設定され、遊技球Ａ１の直径よりも短く設定されている。即ち、遊技釘群２１ａは、下部入賞装置４１側と左側部入賞装置４２側との間、または、下部入賞装置４１側と右側部入賞装置４３側との間での遊技球Ａ１の移動を防止することができる。また、遊技釘群２１ａは、遊技領域１２を流下する遊技球Ａ１を障害釘群２５側に容易に導くことができる。
【００４０】
次に、障害釘２２の作用を説明する。
【００４１】
例えば、遊技領域１２を流下する遊技球Ａ１が下部入賞装置４１と左側部入賞装置４２との間に到達した場合、遊技球Ａ１は、遊技釘群２１ａと左側部入賞装置４２との間、または、遊技釘群２１ａと下部入賞装置４１との間を通過する。なお、遊技釘群２１ａと左側部入賞装置４２との間、または、遊技釘群２１ａと下部入賞装置４１との間を遊技球Ａ１が通過する際、遊技球Ａ１は遊技釘群２１ａに衝突して減速する場合もある。
【００４２】
遊技球Ａ１が遊技釘群２１ａと左側部入賞装置４２との間を通過する場合（図６（ａ）参照）、遊技球Ａ１は、２組の障害釘群２５のうち左側部入賞装置４２寄りの障害釘群２５に導かれる。そして、遊技球Ａ１は、障害釘群２５を構成する一対の上側障害釘２３間を通過して、下側障害釘２４に衝突する。これにより、遊技球Ａ１の向きが変更され、遊技球Ａ１は、下側障害釘２４の左側または右側から落下して内レール１３ａ側に衝突する。その結果、遊技球Ａ１は、アウト口部材２０を貫通する左側のレールピン１４の左方の２箇所に衝突しやすくなる。この場合、遊技球Ａ１が落下した際に内レール１３ａに加わる衝撃が分散される。また、レールピン１４に遊技球Ａ１が直接衝突しにくくなるため、レールピン１４が破損しにくくなる。
【００４３】
一方、遊技球Ａ１が遊技釘群２１ａと下部入賞装置４１との間を通過する場合（図６（ｂ）参照）、遊技球Ａ１は、２組の障害釘群２５のうち下部入賞装置４１寄りの障害釘群２５に導かれる。そして、遊技球Ａ１は、障害釘群２５を構成する一対の上側障害釘２３間を通過して、下側障害釘２４に衝突する。これにより、遊技球Ａ１の向きが変更され、遊技球Ａ１は、下側障害釘２４の左側または右側から落下して内レール１３ａ側に衝突する。その結果、下側障害釘２４の左側から落下した遊技球Ａ１は、アウト口部材２０を貫通する左側のレールピン１４の左方に衝突し、下側障害釘２４の右側から落下した遊技球Ａ１は、アウト口部材２０の開口部２０ａ近傍に衝突する。この場合も、遊技球Ａ１が落下した際に内レール１３ａに加わる衝撃が分散されるとともに、遊技球Ａ１が直接レールピン１４に衝突しにくくなる。即ち、各障害釘２２は、遊技球Ａ１が直接レールピン１４に衝突しないように配置されている。
【００４４】
従って、本実施形態によれば以下のような効果を得ることができる。
【００４５】
（１）本実施形態のパチンコ機によれば、遊技領域１２を流下する遊技球Ａ１の勢いが障害釘２２に衝突することで低下するため、遊技球Ａ１が障害釘２２側から内レール１３ａに落下した際に内レール１３ａやレールピン１４に加わる衝撃が小さくなる。また、障害釘２２に衝突した際に遊技球Ａ１の向きが変更されるため、遊技球Ａ１の着地点が内レール１３ａの一部分に集中しなくなり、落下した際の衝撃が分散されるとともに、直接レールピン１４に衝突する遊技球Ａ１も減少する。これにより、内レール１３ａ及びレールピン１４が保護されるため、衝突時の衝撃に伴う内レール１３ａ及びレールピン１４の破損を防止できる。さらには、内レール１３ａやレールピン１４の破損に起因した不具合（内レール１３ａの傾斜やアウト口部材２０の脱落などによって開口部２０ａの一部が塞がれるなど）も防止できる。
【００４６】
（２）本実施形態の障害釘２２は、遊技結果には影響を与えない釘であるため、下部入賞装置４１、左側部入賞装置４２及び右側部入賞装置４３などに対する遊技球Ａ１の入賞確率の変化を気にすることなく、障害釘２２を設けることができる。即ち、障害釘２２の配置の自由度が高くなる。また、障害釘２２を遊技店側で矯正する必要もなくなる。さらに、障害釘２２が複数突設され、各障害釘２２が遊技盤１１の左右方向にずらして配置されるため、下部入賞装置４１と左側部入賞装置４２との間や、下部入賞装置４１と右側部入賞装置４３との間に流下した遊技球Ａ１を障害釘２２に衝突させやすくなる。よって、遊技球Ａ１の勢いを確実に低下させることができる。しかも、障害釘２２が遊技盤１１の高さ方向に沿って複数配置され、上側の障害釘２２（上側障害釘２３）と下側の障害釘２２（下側障害釘２４）とが遊技盤１１の左右方向にずらして配置されるため、遊技球Ａ１の勢いを段階的に低下させることができる。具体的には、遊技球Ａ１の勢いを上側障害釘２３によって低下させた後、下側障害釘２４によって遊技球Ａ１の勢いをさらに低下させることができる。
【００４７】
（３）仮に、下部入賞装置４１とアウト口部材２０との間に釘が配置されていると、内レール１３ａの保守・修理の際に釘が邪魔になってしまう。一方、本実施形態では、下部入賞装置４１とアウト口部材２０との間に、釘（遊技釘２１も障害釘２２も）が全く配置されていないため、上記の問題を解決できる。
【００４８】
なお、本発明の実施形態は以下のように変更してもよい。
【００４９】
・上記実施形態では、下部入賞装置４１と左側部入賞装置４２との間、及び、下部入賞装置４１と右側部入賞装置４３との間の両方に、障害釘２２が配置されていた。しかし、下部入賞装置４１と左側部入賞装置４２との間のみに障害釘２２が配置されていてもよいし、下部入賞装置４１と右側部入賞装置４３との間のみに障害釘２２が配置されていてもよい。
【００５０】
・上記実施形態の複数の障害釘２２は、遊技盤１１の上下方向に沿って２段階（上側障害釘２３及び下側障害釘２４）に配置されていたが、３段階以上に配置してもよい。また、複数の障害釘２２は、遊技盤１１の上下方向に沿って段階的に配置されていなくてもよい。
【００５１】
・上記実施形態では、遊技領域１２の最も下側に位置する入賞装置は下部入賞装置４１であった。しかし、左側部入賞装置４２及び右側部入賞装置４３を下部入賞装置４１よりも下側に配置し、遊技領域１２の最も下側に位置する入賞装置を左側部入賞装置４２及び右側部入賞装置４３としてもよい。この場合、図５に示す仮想線Ｌは、左側部入賞装置４２及び右側部入賞装置４３の遊技球入口を通過し、この仮想線Ｌよりも下方となる位置に障害釘２２が設けられる。
【００５２】
・上記実施形態の遊技機はいわゆる普通機であったが、遊技球Ａ１が遊技領域１２を流下する遊技機であれば、他の遊技機であってもよい。
【００５３】
次に、特許請求の範囲に記載された技術的思想のほかに、前述した実施形態によって把握される技術的思想を以下に列挙する。
【００５４】
（１）請求項１乃至４のいずれか１項において、前記アウト口部材と前記下部入賞装置との間には釘が配置されていないことを特徴とする遊技機。
【００５５】
（２）請求項３または４において、前記下部入賞装置と前記側部入賞装置との間において前記障害釘群の上方となる位置に、複数の前記遊技釘からなる遊技釘群が前記遊技盤の高さ方向に沿って配置され、前記遊技釘群において隣接する前記遊技釘間の距離は、前記障害釘群において隣接する前記障害釘間の距離よりも短く設定されるとともに、遊技球の直径よりも短く設定され、前記遊技釘群は、前記下部入賞装置側と前記側部入賞装置側との間での遊技球の移動を防止することを特徴とする遊技機。
【００５６】
（３）請求項３または４において、前記下側障害釘と前記ガイドレールとの最短距離は、遊技球の直径の２倍以上７倍以下に設定されていることを特徴とする遊技機。
【００５７】
（４）請求項１乃至４のいずれか１項において、前記障害釘は前記遊技釘と同じ釘であることを特徴とする遊技機。
【００５８】
（５）請求項１乃至４のいずれか１項において、前記遊技機は、前記遊技領域の中央部に設けられ、遊技球が流入しうる入賞空間、前記入賞空間の下側に設けられ、前記入賞空間に流入した遊技球が入賞可能な複数の入賞口、及び、前記入賞空間内に設けられ、前記入賞空間に流入した遊技球を前記複数の入賞口のいずれかに振り分ける振分手段を有する中央入賞装置と、遊技球の入賞が容易な開状態及び遊技球の入賞が困難な閉状態に変位可能な開閉部材を有する複数の普通入賞装置と、前記遊技盤の裏面において前記中央入賞装置を囲むように設けられ、前記複数の入賞口のいずれか１つへの遊技球の入賞、及び、前記複数の普通入賞装置のうち少なくとも１つの普通入賞装置の前記開閉部材の変位を連動させる連動機構とを備え、前記複数の入賞口のいずれか１つに遊技球が入賞した際に、前記連動機構によって前記複数の普通入賞装置のうち少なくとも１つの普通入賞装置の前記開閉部材を開状態に変位させるとともに、前記複数の普通入賞装置のいずれか１つに遊技球が入賞した際に、遊技球が入賞した普通入賞装置の前記開閉部材を閉状態に変位させるのに伴い、他の普通入賞装置のうち少なくとも１つの普通入賞装置の前記開閉部材を開状態に変位させる普通機であり、前記複数の普通入賞装置の一部は、前記下部入賞装置及び前記側部入賞装置であることを特徴とする遊技機。
【図面の簡単な説明】
【００５９】
【図１】本実施形態における遊技盤を示す正面図。
【図２】遊技盤を示す裏面図。
【図３】（ａ），（ｂ）は、中央下入賞装置開放機構を示す説明図。
【図４】（ａ），（ｂ）は、左中上入賞装置開放機構及び中央入賞装置を示す説明図。
【図５】遊技盤の一部を示す要部正面図。
【図６】（ａ），（ｂ）は、遊技球の流下を示す説明図。
【図７】従来技術における遊技盤の一部を示す要部正面図。
【符号の説明】
【００６０】
１１…遊技盤
１２…遊技領域
１３…ガイドレール
１４…レールピン
２０…アウト口部材
２０ａ…アウト口部材の開口部
２１…遊技釘
２２…障害釘
２３…上側障害釘
２４…下側障害釘
２５…障害釘群
４１…遊技領域の最も下側に位置する入賞装置である下部入賞装置
４１ａ…遊技球入口
４２…側部入賞装置としての左側部入賞装置
４３…側部入賞装置としての右側部入賞装置
Ａ１…遊技球
【図１】
2007260133.tif 000003
【図２】
2007260133.tif 000004
【図３】
2007260133.tif 000005
【図４】
2007260133.tif 000006
【図５】
2007260133.tif 000007
【図６】
2007260133.tif 000008
【図７】
2007260133.tif 000009